(57)【特許請求の範囲】
【請求項１】
光センサ部などのアナログ回路および信号処理部などのデジタル回路をＭＯＳ集積回路上に混載形成して構成したカメラに対して、省エネモードと通常モードの切り換えを制御するカメラの制御方法であって、前記ＭＯＳ集積回路の外部から入力される省エネモード信号のレベル状態に基づいて前記デジタル回路に供給するクロックを停止させ、前記省エネモード信号のレベル状態に基づいて前記デジタル回路から出力されるパルス信号のパルス数をカウントするカウンタ回路のカウント値に応じて出力される制御信号により、前記アナログ回路に対する電源の供給を停止させ、前記カメラの未使用時にそのカメラの機能を停止させることを特徴とするカメラの制御方法。
【請求項２】
前記省エネモード信号のレベル状態に基づいて前記デジタル回路から出力されるパルス信号のパルス数をカウントするカウンタ回路のカウント値に応じてデジタル回路に供給するクロックを復帰させ、前記カウント値に応じて出力される制御信号により、アナログ回路に供給する電源を復帰させ、カメラの機能停止から復帰させることを特徴とする請求項１に記載のカメラの制御方法。
【請求項３】
前記省エネモード信号のレベル状態に基づいて前記デジタル回路から出力されるパルス信号のパルス数をカウントするカウンタ回路のカウント値に応じて出力される制御信号により、カメラの機能停止から復帰までの期間に、ＭＯＳ集積回路の外部に出力される映像信号を、その映像信号が不安定な状態で出力されないようにマスクし、前記映像信号を固定することを特徴とする請求項２に記載のカメラの制御方法。
【請求項４】
請求項１から請求項３のいずれかに記載のカメラの制御方法における制御時に使用するカウンタ回路であって、ＭＯＳ集積回路の外部から入力される制御信号のみによってカウントアップもしくはカウントダウンを停止して一定の固定値になり、デジタル回路から出力されるパルス信号によっては前記固定値にならないことを特徴とするカウンタ回路。
【請求項５】
請求項１から請求項３のいずれかに記載のカメラの制御方法における制御時に使用するカウンタ回路であって、省エネモードと通常モードの切り換え時における各種機能制御を行い、カウンタ値がある固定値になると、アナログ回路に供給する電源のオン／オフを制御する機能制御信号を出力し、アナログ回路の動作のオン／オフを制御することを特徴とする請求項４に記載のカウンタ回路。
【請求項６】
請求項３に記載のカメラの制御方法における制御時に使用するカウンタ回路であって、省エネモードと通常モードの切り換え時における各種機能制御を行い、カウンタ値がある固定値になると、映像信号をマスクしてその映像信号の出力固定化を制御する機能制御信号と、前記マスクを解除して前記映像信号を通常出力にする機能制御信号とを出力し、前記映像信号のマスクを制御することを特徴とする請求項５に記載のカウンタ回路。
【請求項７】
請求項１または請求項２に記載のカメラの制御方法における制御時に使用するカウンタ回路であって、省エネモードと通常モードの切り換え時における各種機能制御を行い、カウンタ値がある固定値になると、デジタル回路からアナログ回路への制御信号のある固定値へのマスクを制御する機能制御信号と、前記マスクを解除して前記デジタル回路からアナログ回路の制御を通常制御とする機能制御信号とを出力し、前記デジタル回路からアナログ回路への制御信号のマスクを制御することを特徴とする請求項６に記載のカウンタ回路。
【請求項８】
請求項１から請求項３のいずれかに記載のカメラの制御方法により制御されるカメラであって、ＭＯＳ集積回路の外部から入力される前記省エネモード信号のレベル状態によってデジタル回路から出力されるパルス信号のパルス数のカウント値に応じて、省エネモードと通常モードの切り換え時に必要な各種機能を制御するための機能制御信号を出力するカウンタ回路を備えたカメラ。
【請求項９】
請求項４から請求項７のいずれかに記載のカウンタ回路を有するカメラであって、請求項１から請求項３のいずれかに記載のカメラの制御方法により制御されるカメラ。
【発明の詳細な説明】
【０００１】
【発明の属する技術分野】
本発明は、アナログ回路およびデジタル回路をＭＯＳ集積回路上に混載形成して構成したカメラの制御方法に関するものである。
【０００２】
【従来の技術】
従来より、被写体から得られた映像信号をデジタル的に電気処理するデジタルスチルカメラやデジタルビデオカムのようなカメラは、一般的に、光センサ部などのアナログ回路および信号処理部などのデジタル回路が、それぞれ専用基板上に形成された機能ブロックやチップ化されたＭＯＳ集積回路上等に混在して構成され、省電力化のために、省エネモードと通常モードの切り換えを制御する制御方法が使用されてきた。
【０００３】
以上のような省エネモードと通常モードの切り換え機能を有する従来のカメラについて、以下に説明する。
従来のカメラは、例えば図５に示すように、アナログ回路として、固体撮像素子ブロックであるＣＣＤセンサＣ５１やアンプおよびＡ／Ｄコンバータ等が形成されたチップＣ５４など、またデジタル回路として、信号処理を行うＤＳＰなどが形成されたチップＣ５３、ほかにチップＣ５２など、アナログ回路およびデジタル回路が複数の異なる集積回路、場合によっては専用基板上に形成された機能ブロックに分散されて混在され、電源回路が形成された基板Ｋ５２、および他の周辺回路が形成された基板Ｋ５３とともに、基板Ｋ５１上に部品として実装されることにより、構成されている。
【０００４】
そのため、基板Ｋ５１の占有面積がかなり大きくなり、実装部品点数についても多くなっている。また、省エネを目的としてシステムを停止させる場合は、駆動制御信号を基板上でＯＮ／ＯＦＦして行っているが、電源制御は複雑な回路を必要とするために制御していなかった。さらに、カメラシステム全体の消費電力は数１００ｍＷオーダーで、電源制御による数１０ｍＷオーダーでの省エネ化は、それほど効果が無かった。
【０００５】
近年では、半導体プロセス技術の進歩に伴い、ＭＯＳ集積回路としてＣＭＯＳ集積回路上にアナログ回路とデジタル回路を、図１０（ａ）および図１０（ｂ）に示すように１つのチップＣ１０１ないし、図６に示すように２つのチップＣ６１、Ｃ６２として構成し、多くの制御回路をＣＭＯＳ集積回路上に形成することで、基板面積が小さくなり基板上における制御回路の部品点数は削減されるようになり、カメラそのものが小型化されるようになった。
【０００６】
それに伴い、カメラは、ある程度の電源電力の供給が可能なノートパソコンなどの機種にも搭載が可能になったが、今度は携帯機器として持ち運ぶという面で、消費電力の低減が問題になってきた。
【０００７】
図５に示すＣＣＤセンサＣ５１を、図６に示すように、チップＣ６１上に形成されたＣＭＯＳセンサに変えたことで、消費電力の大幅軽減（図５に示す従来のＣＣＤカメラの場合に比較して約１／１０）が可能となったが、ＣＭＯＳ集積回路上にアナログ回路とデジタル回路を１つのチップＣ６２として形成（図１０（ａ）および図１０（ｂ）では複数のアナログ回路Ａ１０１、Ａ１０２、Ａ１０３を１つのチップＣ１０１として形成）しても、各回路をＯＮ／ＯＦＦするのに「外付けの電源制御回路」が必要であり、Ａ／Ｄコンバータ等のリファレンス電源やＣＭＯＳセンサ等のアナログ電源を省エネ目的で停止させるには、「複数の制御信号による制御」が必要であったため行っていなかった。
【０００８】
特に小型化を目的としたカメラシステムにおいては、基板面積を大きくしてしまう「外付けの制御回路」を設けるのではなく、主電源自体をＯＦＦしてカメラシステム全体を停止させるシステム構成が汎用的で、再使用時はカメラシステム全体を再起動しなければならないために、再起動に時間を要していた。
【０００９】
一方、主電源を落とさず、デジタル回路のクロックや制御信号を停止させて省エネモードを実現しているカメラシステムでは、「アナログ電源回路は制御していなかったため、アナログ電源電力を浪費」していた。
【００１０】
【発明が解決しようとする課題】
しかしながら上記のような従来の制御方法によるカメラシステムを、携帯情報端末機器や携帯電話などの小型携帯機器等に搭載する場合には、「小型でかつ、低消費電力」でなくてはならないため、図７に示すように、ＣＭＯＳ集積回路チップＣ７１に対する「外付け制御回路」無しで、「単一制御信号」として省エネモード切替信号のみにより、ＣＭＯＳ集積回路チップＣ７１へ供給される主電源をＯＦＦせず、省エネモード切替信号に基づいてカウンタブロックＫＢ７３から出力される制御信号を用いて、機能ブロックＫＢ７１内のアナログ回路に供給される「アナログ電源の電源電力をＯＮ／ＯＦＦする」ことや、「貫通電流を抑える」ことにより、数ｍＷオーダーのように少しでも省エネになるカメラシステムの制御が必要であるが、この要求が満足できるような小型で低消費電力のカメラシステムの設計は、前述した従来のカメラの制御方法では、困難であるという問題点を有していた。
【００１１】
また、前述した従来の制御方法によるカメラシステムにおいて、省エネモードから通常モードへの復帰時などシステム起動時は、アナログ回路とデジタル回路の各動作が過渡状態にあり安定していないため、不安定で異常な映像信号が出力される可能性があるという問題点も有していた。
【００１２】
本発明は、上記従来の問題点を解決するもので、省電力化のために従来構成では必要であった基板上の電源制御回路等の追加による部品点数の増加を抑え、カメラ装置の省電力化および小型化を実現することができ、また、カメラ動作における省エネモードから通常モードへの復帰時などの起動時にも、安定した正常な映像信号を出力することができ、使用者に対して、違和感のない映像信号を供給することができるカメラの制御方法を提供する。
【００１３】
【課題を解決するための手段】
上記の課題を解決するために本発明のカメラの制御方法は、光センサ部などのアナログ回路および信号処理部などのデジタル回路をＭＯＳ集積回路上に混載形成して構成したカメラに対して、省エネモードと通常モードの切り換えを制御するカメラの制御方法であって、前記ＭＯＳ集積回路の外部から入力される省エネモード信号のレベル状態に基づいて前記デジタル回路に供給するクロックを停止させ、前記省エネモード信号のレベル状態に基づいて前記デジタル回路から出力されるパルス信号のパルス数をカウントするカウンタ回路のカウント値に応じて出力される制御信号により、前記アナログ回路に対する電源の供給を停止させ、前記カメラの未使用時にそのカメラの機能を停止させることを特徴とする。
【００１４】
また、本発明のカメラの制御方法は、上記制御方法において、前記省エネモード信号のレベル状態に基づいて前記デジタル回路から出力されるパルス信号のパルス数をカウントするカウンタ回路のカウント値に応じてデジタル回路に供給するクロックを復帰させ、前記カウント値に応じて出力される制御信号により、アナログ回路に供給する電源を復帰させ、カメラの機能停止から復帰させることが好ましい。
【００１５】
また、本発明のカウンタ回路は、上記カメラの制御方法における制御時に使用するカウンタ回路であって、ＭＯＳ集積回路の外部から入力される制御信号のみによってカウントアップもしくはカウントダウンを停止して一定の固定値になり、デジタル回路から出力されるパルス信号によっては前記固定値にならないよう構成したことを特徴とする。
【００１６】
以上により、ＭＯＳ集積回路の外部から入力される１つの制御信号である省エネモード信号のみにより、その省エネモード信号のレベル状態に基づくカウンタ回路のカウント値に応じたシーケンスに従って、省エネモードと通常モードの切り換え時における電源制御、クロック制御、信号処理制御、映像信号に対する不安定期間の出力マスクなどの各種機能制御を可能とし、そのシーケンスに従って、アナログ回路がその電源を完全に停止するなど、カメラの省エネモードへの移行および通常モードへの復帰のための機能制御を可能にすることにより、ＭＯＳ集積回路として少ない回路構成でワンチップ化が可能となり、そのワンチップＭＯＳ集積回路内で完結した制御を行うことができる。
【００１７】
【発明の実施の形態】
本発明のカメラの制御方法は、光センサ部などのアナログ回路および信号処理部などのデジタル回路をＭＯＳ集積回路上に混載形成して構成したカメラに対して、省エネモードと通常モードの切り換えを制御するカメラの制御方法であって、前記ＭＯＳ集積回路の外部から入力される省エネモード信号のレベル状態に基づいて前記デジタル回路に供給するクロックを停止させ、前記省エネモード信号のレベル状態に基づいて前記デジタル回路から出力されるパルス信号のパルス数をカウントするカウンタ回路のカウント値に応じて出力される制御信号により、前記アナログ回路に対する電源の供給を停止させ、前記カメラの未使用時にそのカメラの機能を停止させる方法とする。
【００１８】
また、前記省エネモード信号のレベル状態に基づいて前記デジタル回路から出力されるパルス信号のパルス数をカウントするカウンタ回路のカウント値に応じてデジタル回路に供給するクロックを復帰させ、前記カウント値に応じて出力される制御信号により、アナログ回路に供給する電源を復帰させ、カメラの機能停止から復帰させる方法とする。
【００１９】
請求項４に記載のカウンタ回路は、請求項１から請求項３のいずれかに記載のカメラの制御方法における制御時に使用するカウンタ回路であって、ＭＯＳ集積回路の外部から入力される制御信号のみによってカウントアップもしくはカウントダウンを停止して一定の固定値になり、デジタル回路から出力されるパルス信号によっては前記固定値にならない構成とする。
【００２０】
本発明のカウンタ回路は、前記カメラの制御方法における制御時に使用するカウンタ回路であって、省エネモードと通常モードの切り換え時における各種機能制御を行い、カウンタ値がある固定値になると、アナログ回路に供給する電源のオン／オフを制御する機能制御信号を出力し、アナログ回路の動作のオン／オフを制御する構成とする。
【００２１】
また、前記カメラの制御方法における制御時に使用するカウンタ回路であって、省エネモードと通常モードの切り換え時における各種機能制御を行い、カウンタ値がある固定値になると、デジタル回路からアナログ回路への制御信号のある固定値へのマスクを制御する機能制御信号と、前記マスクを解除して前記デジタル回路からアナログ回路の制御を通常制御とする機能制御信号とを出力し、前記デジタル回路からアナログ回路への制御信号のマスクを制御する構成とする。
【００２２】
また、前記カメラの制御方法により制御されるカメラであって、ＭＯＳ集積回路の外部から入力される前記省エネモード信号のレベル状態によってデジタル回路から出力されるパルス信号のパルス数のカウント値に応じて、省エネモードと通常モードの切り換え時に必要な各種機能を制御するための機能制御信号を出力するカウンタ回路を備えた構成とする。
【００２３】
請求項９に記載のカメラは、請求項４から請求項７のいずれかに記載のカウンタ回路を有するカメラであって、請求項１から請求項３のいずれかに記載のカメラの制御方法により制御される構成とする。
【００２４】
これらの方法および構成によると、ＭＯＳ集積回路の外部から入力される１つの制御信号である省エネモード信号のみにより、その省エネモード信号のレベル状態に基づくカウンタ回路のカウント値に応じたシーケンスに従って、省エネモードと通常モードの切り換え時における電源制御、クロック制御、信号処理制御、映像信号に対する不安定期間の出力マスクなどの各種機能制御を可能とし、そのシーケンスに従って、アナログ回路がその電源を完全に停止するなど、カメラの省エネモードへの移行および通常モードへの復帰のための機能制御を可能にすることにより、ＭＯＳ集積回路として少ない回路構成でワンチップ化が可能となり、そのワンチップＭＯＳ集積回路内での完結した制御が可能となる。
【００２５】
本発明のカメラの制御方法は、前記省エネモード信号のレベル状態に基づいて前記デジタル回路から出力されるパルス信号のパルス数をカウントするカウンタ回路のカウント値に応じて出力される制御信号により、カメラの機能停止から復帰までの期間に、ＭＯＳ集積回路の外部に出力される映像信号を、その映像信号が不安定な状態で出力されないようにマスクし、前記映像信号を固定する方法とする。
【００２６】
また、本発明のカウンタ回路は、前記カメラの制御方法における制御時に使用するカウンタ回路であって、省エネモードと通常モードの切り換え時における各種機能制御を行い、カウンタ値がある固定値になると、映像信号をマスクしてその映像信号の出力固定化を制御する機能制御信号と、前記マスクを解除して前記映像信号を通常出力にする機能制御信号とを出力し、前記映像信号のマスクを制御する構成とする。
【００２７】
この方法および構成によると、通常モードへの復帰のための省エネモード解除後は、省エネモードへの移行前の状態で復帰し、省エネモードにおけるシーケンスが完了するまでの期間、ＭＯＳ集積回路から外部に出力される映像信号をマスクする。
【００２８】
以下、本発明の実施の形態を示すカメラの制御方法およびその制御に使用するカウンタ回路について、図面を参照しながら具体的に説明する。なお、本発明はＭＯＳ集積回路内に形成したワンチップカメラの制御方法であるが、プロセスには依存しない。ここでは、ＣＭＯＳ集積回路上に形成したＣＭＯＳワンチップカメラを例に挙げて説明する。
【００２９】
図１は本発明の実施の形態のカメラの制御方法を行うための回路構成を示すブロック図である。図１において、２０はカメラを構成するワンチップのＣＭＯＳ集積回路で、本カメラ（以下、ワンチップカメラと称す）は、ワンチップＣＭＯＳ集積回路２０上に形成され、その省エネモードおよび通常モードを切替制御する省エネモード信号２、システムクロック１、映像信号１３、主電源１７、デジタル回路５、アナログ回路７、カウンタ回路６から構成される。
【００３０】
なお、主電源１７、アナログ電源２３の電圧２．８Ｖ、およびデジタル電源２４の電圧２．０Ｖは、それぞれ本実施の形態上の電圧例であり、この電圧に限らず何ボルトであっても構わない。
【００３１】
また、上記の省エネモード信号２におけるＬｏｗ／Ｈｉｇｈのレベルは、この実施の形態と全く逆でも構わない（Ｌｏｗ：省エネモード、Ｈｉｇｈ：通常モードでも構わない）。
【００３２】
また、本実施の形態で、カウンタ回路６のカウントを始めるために用いられ、デジタル回路５から出力されるパルス信号であるカウント開始信号２１は、映像信号の垂直同期信号で説明するが、垂直同期信号でなくとも構わない。
【００３３】
また、カウンタ回路６のカウントについては、説明が容易なように、カウントＵＰを行って以降の説明を行っているが、カウントＤＯＷＮでも構わないし、カウンタ値はこの実施の形態の値でなくとも構わない。
【００３４】
以上のように構成されたワンチップカメラの制御方法における制御手順を、以下に説明する。
図２は本実施の形態のワンチップカメラの制御方法における制御手順を示すタイミングチャートであり、図３は同実施の形態における省エネモードへの移行動作を示すフローチャートであり、図４は同実施の形態における省エネモードからの復帰動作を示すフローチャートである。
（通常時→省エネモードへの移行）
省エネモードへの移行時は、省エネモード信号２がＨｉｇｈの状態で入力パッド４へ入力されると、外部からのシステムクロック１は入力パッド３において制御信号１５によって停止される。これによって、デジタル回路５は、システムクロック１が供給されなくなるために動作を停止する。ただし、デジタル回路５へのデジタル電源２４はＯＦＦせずに、デジタル回路５内に設けたレジスタ（図示せず）に、省エネモード移行前のカメラ設定状態を示すデータを保持する。
【００３５】
このように、デジタル回路５には、デジタル電源２４が供給されているが、システムクロック１は供給されていないので、デジタル回路５は停止状態にあり電力をほとんど消費しない（デジタル回路５の停止）。
【００３６】
カウンタ回路６は、上記の省エネモード信号２のＨｉｇｈ状態によってカウント値ゼロにリセットされて、デジタル回路５からアナログ回路７への制御信号８に対するＯＮ／ＯＦＦ制御信号（ＯＦＦ信号：マスク信号）９とアナログ回路ＯＮ／ＯＦＦ制御信号（ＯＦＦ信号）１０とアナログ電源ＯＮ／ＯＦＦ制御信号（ＯＦＦ信号）１６および映像信号ＯＮ／ＯＦＦ制御信号（ＯＦＦ信号：マスク信号）１４を出力する。なお、本実施の形態では、すでにシステムクロック１が停止しているため、省エネモード信号２のＨｉｇｈ状態によるカウンタ回路６のリセットは非同期で行われる。
【００３７】
カウンタ回路６のカウンタ値は、カウントＵＰを始めるためのカウント開始信号２１であるパルス信号がカウンタ回路６に入力されるまで、変化しない。なお、本実施の形態は、省エネモード信号２のＨｉｇｈ状態によってカウント値がゼロになるようにリセットするようにしているが、ゼロ以外の固定値でも構わない。
【００３８】
デジタル回路５からのアナログ回路７に対する制御信号８は、カウンタ回路６から出力されるマスク信号９によってＬｏｗに固定する。アナログ回路７によっては、システム起動初期値がＨｉｇｈの場合は、アナログ回路７に対する制御信号８をＨｉｇｈに固定する。アナログ回路７に対する制御信号８を固定することによって、アナログ電源２３をＯＦＦする前にアナログ回路７を安定制御し、貫通電流発生を押さえる（アナログ回路制御信号８の停止）。
【００３９】
また、アナログ回路７に供給されるアナログ電源２３は、主電源１７から供給されるが、アナログ電源制御スイッチパッド１９上に構成されている制御スイッチを、カウンタ回路６から出力されるアナログ電源ＯＮ／ＯＦＦ制御信号１６によってＯＦＦする。このようにアナログ電源２３に対して、ＣＭＯＳ集積回路２０の外付け部品によるＯＮ／ＯＦＦ制御を行わないので、外部部品を減らし、小型化が実現できる。上記によって、アナログ回路７は停止する（アナログ回路７の停止）。
【００４０】
デジタル回路５からアナログ回路７への制御信号８を、前記のように通常Ｌｏｗに固定してからあるいはＨｉｇｈに固定してから、アナログ電源２３をＯＦＦしないと、アナログ回路７およびデジタル回路５に貫通電流が流れる可能性があるが、外部部品であるコンデンサ１８により発生する電源時定数分だけ遅れるので、問題ない。
【００４１】
この時、アナログ回路７自体をＯＦＦする機能がアナログ回路７にある場合は、アナログ回路ＯＮ／ＯＦＦ制御信号１０を出してアナログ回路７単体を個別に停止させ、アナログ回路７からデジタル回路５に出力される信号１１を停止（固定）する。本実施の形態では、上記のようにすでにシステムクロック１が停止しているため、アナログ回路ＯＮ／ＯＦＦ制御信号１０によるアナログ回路７の停止は非同期で行われている。
【００４２】
デジタル回路５から出力される映像信号１３は、カウンタ回路６から出力される映像信号ＯＮ／ＯＦＦ制御信号（ＯＦＦ信号：マスク信号）１４によって、出力パッド１２上でマスク（固定）される。省エネモードが解除され、システムが完全に再起動するまでは、映像信号は、マスク信号１４によってマスクして固定されるので、乱れた映像信号は出力されることはない（映像信号出力１３の停止）。
【００４３】
以上のシーケンスに従って、上記のワンチップカメラを用いて構成されたカメラシステムは停止する。
（省エネモード→通常モードへの復帰）
省エネモードからの復帰時は、省エネモード信号２がＬｏｗの状態で入力パッド４へ入力されると、外部からのシステムクロック１が制御信号１５によって入力パッド３を通じて内部に供給される。これによってデジタル回路５は、システムクロック１が供給されるために動き出す。本ワンチップカメラは、デジタル回路５内に設けたレジスタ（図示せず）に省エネモード移行前のカメラ設定状態を示すデータを保持しているので、そのデータを利用して早期に設定の回復が可能になる（デジタル回路５の起動）。
【００４４】
動作を始めたデジタル回路５は、カウンタ回路６に対して、そのカウントを始めるためのカウント開始信号２１であるパルス信号を出力する。本実施の形態としては、カウントを始めるためのカウント開始信号２１であるパルス信号は、垂直同期信号を使用し、各カウントが変化する期間をある程度の間隔（例えば１フレーム分）になるようにしている。
【００４５】
本実施の形態では、システムクロック１が供給されてデジタル回路５から出力されるカウント開始信号２１であるパルス信号を使用して、システムクロック１に同期してカウント進行を行っているが、本実施の形態の通りでなくても構わない。また、カウントを進行してカウント値を変化させる信号、およびカウント進行間隔は、この実施の形態通りでなくても構わない。
【００４６】
省エネモード移行時に、リセットさせたカウンタ回路６のカウンタ値が、パルス信号であるカウント開始信号２１のパルス数のカウントによって、カウント値「ゼロ」（省エネモード状態を表す）から「１以上」になると、デジタル回路５は上記のように動作を開始する。
【００４７】
また同時にカウンタ回路６は、アナログ電源ＯＮ／ＯＦＦ制御信号１６を出力して、その制御信号１６を通じてアナログ電源２３のアナログ回路７への供給を開始する。この時、アナログ回路７での電源供給は外部部品であるコンデンサ１８の時定数分だけ遅れるので、正常な電源供給がアナログ回路７に行われるまでの期間は、貫通電流が流れる可能性があるので、デジタル回路５からのアナログ回路７の制御信号８を、制御信号９によりマスク状態（固定）のままにしておく（アナログ回路７への電源供給開始）。
【００４８】
パルス信号であるカウント開始信号２１のパルス数のカウントによって、カウンタ回路６のカウンタ値が「１」から「２」になり、アナログ回路７自体をＯＮする機能がアナログ回路７にある場合は、アナログ回路ＯＮ／ＯＦＦ制御信号１０を出して、アナログ回路７をＯＮする。
【００４９】
パルス信号であるカウント開始信号２１のパルス数のカウントによって、カウンタ回路６のカウンタ値が「２」から「３」以上になると、アナログ電源２３が供給されてから２フレーム経ち、安定した電源がアナログ回路７へ供給されているので、カウンタ回路６は、制御信号９を出力してデジタル回路５からのアナログ回路７の制御信号８のマスクを解除することにより、制御信号８が流れるようにして、デジタル回路５からのアナログ回路７の制御を開始する。本実施の形態では、外部部品であるコンデンサ１８の時定数分だけ電源供給が遅れて、安定した電源がアナログ回路７へ供給されるまでの期間を、カウンタ値２つ分（２フレーム分）にしているが、本実施の形態通りでなくてもよい。
【００５０】
デジタル回路５からのアナログ回路７の制御信号８によって、アナログ回路７はリセットされて、正常動作を開始する。アナログ回路７に正常な電源供給が成されてからアナログ回路７の制御信号８を入力しているので、貫通電流が流れなくなる（アナログ回路７の起動）。
【００５１】
パルス信号であるカウント開始信号２１のパルス数のカウントによって、カウンタ回路６のカウンタ値が「３」から「５」以上（アナログ回路７が動き始めて２フレーム後）になると、アナログ回路７およびデジタル回路５はシステム的に安定動作をしているので、カウンタ回路６は、映像信号ＯＮ／ＯＦＦ制御信号１４を出力して、映像信号１３に対するマスク状態を解除し、映像信号１３が出力パッド１２を通じて通常出力されるようにする。本実施の形態では、ＴＧおよびＣＭＯＳセンサのリセット時間をカウンタ値２つ分（２フレーム分）にしているが、本実施の形態通りでなくても構わない（映像信号出力１３の再開）。
【００５２】
以上のシーケンスに従って、上記のワンチップカメラを用いて構成されたカメラシステムは通常動作状態になる。
なお、カウンタ回路６は、通常動作時にある値に達するとその値で固定され、カウントＵＰおよびカウントＤＯＷＮによって、省エネモード時に省エネモード信号２によって決定されるカウンタ値（上記実施の形態ではゼロ）にならないようにカウンタ回路６を設計する。
【００５３】
以上のように、ＣＭＯＳ集積回路２０に単一の制御信号（省エネモード信号）２を入力することよって、その省エネモード信号２のレベル（ＨｉｇｈあるいはＬｏｗ）状態に基づいて、ＣＭＯＳ集積回路２０上に設けたカウンタ回路６のカウンタ値を制御して、下記の一連のシーケンスを構成して制御する。またカウンタ値によって、個々の回路を任意の順番で制御する。
【００５４】
通常、アナログ回路７およびデジタル回路５内に形成されるフリップフロップは、図８に示すようなインバータ回路を内部に用いて形成されているが、省エネモード移行時は、カウンタ回路６のカウンタ値によって、アナログ回路７の電源をＯＦＦする前に、デジタル回路５から供給されるアナログ回路制御信号Ａを固定することにより、その制御信号Ａが中間電位になった場合に２つのトランジスタが同時にＯＮになって発生する貫通電流が流れないようにする。
【００５５】
このような制御により、アナログ回路７への電源供給をＯＦＦできるようになり、ワンチップカメラにおける低消費電力化の実現が可能である。
省エネモードからの復帰時は、カウンタ回路６のカウンタ値によって、アナログ回路７への電源供給をＯＮしてから、デジタル回路５から供給されるアナログ回路制御信号Ａを出すようにして、上記のような貫通電流が流れないようにする。
【００５６】
また、図９（ｂ）に示すように、ＣＭＯＳ集積回路２０上にスイッチＳＷ１を構成してＣＭＯＳ集積回路２０内のアナログ回路７に対しての電源制御を行い、図９（ａ）に示すようなＣＭＯＳ集積回路３０の外部に設けられた時定数回路３１などの外部制御部品を無くす。このスイッチ制御は、電源制御信号に対するカウンタ回路６のカウンタ値によって制御する。
【００５７】
また、図１１（ｂ）に示すように構成することにより、省エネモード移行時から通常モードに復帰するまでの期間は、内部回路がリセットされて正常動作を開始するまで、カウンタ回路６のカウンタ値によって、出力する映像信号１３をマスクして固定し、図１１（ａ）の従来構成では発生する乱れた映像信号の出力を無くす。
【００５８】
この動作は、フリップフロップ等によって遅延させてシーケンスを持たせる回路でもよいが、ＣＭＯＳセンサをクリアする（初期化する）のに１フレーム以上必要の期間を有するようなワンチップカメラの場合は、多くのフリップフロップが必要となり、回路規模が大きくなる可能性があるので、カウンタ回路を用いた方が回路規模を考えると実用的である。
【００５９】
最後に、ＣＭＯＳセンサを用いた１チップのＣＭＯＳ集積回路構成のワンチップカメラについて、その具体的な性能および機能例を説明する。
図７に示すワンチップカメラにおいて、消費電力の一例としては、数１０ｍＷ以下となり、これは図５に示す従来のＣＣＤカメラの場合に比較して約１／１０以下である。
【００６０】
また、ＣＭＯＳ集積回路チップＣ７１内で、省エネモード切替信号に基づいてカウンタブロックＫＢ７３から出力される制御信号によって、機能ブロックＫＢ７１内のアナログ回路の駆動制御信号およびデジタル回路のクロックをＯＮ／ＯＦＦ制御して停止させることが可能で、電源回路ブロックＫＢ７２の電源制御については、携帯情報端末機器や携帯電話などの小型携帯機器用としてきめこまかい制御ができ、非常に有効的に機能する。
【００６１】
さらに、カメラをＣＭＯＳ集積回路チップＣ７１によってワンチップ構成としたため、そのチップＣ７１が実装される基板Ｋ７１の占有面積が従来に比べて非常に小さく縮小され、基板Ｋ７１上の実装部品点数についても削減されて少なくなっている。
【００６２】
【発明の効果】
以上のように本発明によれば、ＭＯＳ集積回路の外部から入力される１つの制御信号である省エネモード信号のみにより、その省エネモード信号のレベル状態に基づくカウンタ回路のカウント値に応じたシーケンスに従って、省エネモードと通常モードの切り換え時における電源制御、クロック制御、信号処理制御、映像信号に対する不安定期間の出力マスクなどの各種機能制御を可能とし、そのシーケンスに従って、アナログ回路がその電源を完全に停止するなど、カメラの省エネモードへの移行および通常モードへの復帰のための機能制御を可能にすることにより、ＭＯＳ集積回路として少ない回路構成でワンチップ化が可能となり、そのワンチップＭＯＳ集積回路内で完結した制御を行うことができる。
【００６３】
そのため、カメラ構成を容易にワンチップ化して基板上の部品点数を削減することができるとともに、省電力化のために従来構成では必要であった基板上の電源制御回路等の追加による部品点数の増加を抑え、カメラ装置の省電力化および小型化を実現することができ、携帯情報端末機器や携帯電話などの小型携帯機器等に搭載可能な低消費電力でかつ小型なカメラを実現することができる。
【００６４】
また、通常モードへの復帰のための省エネモード解除後は、省エネモードへの移行前の状態で復帰し、省エネモードにおけるシーケンスが完了するまでの期間、ＭＯＳ集積回路から外部に出力される映像信号をマスクすることができる。
【００６５】
そのため、カメラ動作における省エネモードから通常モードへの復帰時などの起動時にも、安定した正常な映像信号を出力することができ、使用者に対して、違和感のない映像信号を供給することができる。
【００６６】
さらに、デジタル回路およびアナログ回路において貫通電流が流れないようにすることができ、これによっても、ワンチップカメラにおけるさらなる低消費電力化を実現することができる。
【図面の簡単な説明】
【図１】本発明の実施の形態のカメラの制御方法を行う回路構成を示すブロック図
【図２】同実施の形態における動作を示すタイミングチャート
【図３】同実施の形態における省エネモードへの移行動作を示すフローチャート
【図４】同実施の形態における省エネモードからの復帰動作を示すフローチャート
【図５】従来のカメラの構成を示すブロック図
【図６】同従来例のカメラにおける別の構成を示すブロック図
【図７】同従来例のカメラにおける問題点を説明するためのブロック図
【図８】本発明の実施の形態のカメラの制御方法における貫通電流防止のための概念を示す回路ブロック図
【図９】同実施の形態のカメラの制御方法における外部部品の軽減例の概念を示す回路ブロック図
【図１０】同実施の形態のカメラの制御方法におけるカウンタ回路による個々の回路制御例の概念を示すブロック図
【図１１】同実施の形態のカメラの制御方法におけるシステム起動時の映像信号マスク例の概念を示すブロック図
【符号の説明】
１    システムクロック
２    省エネモード信号（省エネモード／通常モード切替信号）
３    システムクロック入力パッド（ＯＮ／ＯＦＦ可能）
４    省エネモード信号入力パッド
５    デジタル回路
６    カウンタ回路
７    アナログ回路
８    デジタル回路からアナログ回路制御信号
９    （デジタル回路からアナログ回路制御信号の）ＯＮ／ＯＦＦ制御信号
１０    アナログ回路ＯＮ／ＯＦＦ制御信号
１１    アナログ回路からデジタル回路信号
１２    映像信号出力パッド
１３    映像信号
１４    映像信号ＯＮ／ＯＦＦ制御信号
１５    システムクロックＯＮ／ＯＦＦ制御信号
１６    アナログ電源ＯＮ／ＯＦＦ制御信号
１７    主電源
１８    外部部品（コンデンサ）
１９    アナログ電源制御スイッチパッド（ＯＮ／ＯＦＦ可能）
２０    ＣＭＯＳ集積回路
２１    （カウンタの）カウント開始信号（パルス信号）
２２    デジタル電源供給パッド
２３    アナログ電源
２４    デジタル電源
【図１】
0004610068.tif 000002
【図２】
0004610068.tif 000003
【図３】
0004610068.tif 000004
【図４】
0004610068.tif 000005
【図５】
0004610068.tif 000006
【図６】
0004610068.tif 000007
【図７】
0004610068.tif 000008
【図８】
0004610068.tif 000009
【図９】
0004610068.tif 000010
【図１０】
0004610068.tif 000011
【図１１】
0004610068.tif 000012